(57)【特許請求の範囲】
【請求項１】
映像信号の同期信号部を抜き取り、後述するＡＮＤ手段の出力であるマスクパルスが有る場合は出力をマスクし、前記マスクパルスが無い場合は出力をマスクしない同期分離手段と、
前記同期分離手段の出力を一方の入力とし後述する分周器部の出力である水平同期信号を他方の入力として位相比較を行う水平位相比較回路部と、前記水平位相比較回路の出力の低域周波数部分を通過させる低域通過フィルタ部と、前記低域通過フィルタの出力に基いて発振周波数を可変する発振器部と、前記発振器の出力を分周して前記水平同期信号を生成し、水平同期信号期間のみを抜き取るためのタイミングパルスを生成する分周器部と、を備えるＰＬＬ手段と、
前記同期分離手段の出力の立下がりないし立上がりエッジを検出し計数することによりコピーガード信号の有無を検出する検出手段と、
前記同期分離手段の出力から垂直同期信号を抜き取る垂直同期分離手段と、
前記垂直同期分離手段の出力と前記分周器部の出力である前記水平同期信号から前記検出手段のリセット及び検出期間を設定するための信号を出力するタイミング手段と、
前記検出手段がコピーガード有りを検出した場合は、前記タイミング手段の出力と前記分周器部の出力であるタイミングパルスに基づき、コピーガード信号の検出時間の間、前記同期分離手段から出力される信号の水平同期期間以外をマスクするためのマスクパルスを作成するＡＮＤ手段と、
を有する水平同期回路。
【発明の詳細な説明】
【０００１】
【従来の技術】
ビデオやＤＶＤなどのパッケージメディアが増えていく中で、違法コピーなどを防止するためのコピーガード機能は不可欠になってきている。
【０００２】
そのコピーガード信号については特開平４−８１１８２号公報や特開平４−２０７３５６号公報の代表図にもあるように垂直同期信号期間以降で有効映像期間の前に水平同期信号以外の期間に切れ込みが入っている。図５の（ａ）にその概略図を示す。テレビジョン受像機（以下テレビという）やモニターディスプレイ（以下モニタという）において水平同期の安定のためにＰＬＬ回路が用いられている。また特開平７−２２６８５８号公報の様に垂直同期期間における等化パルスの影響を最小にするべく垂直同期期間の間ＰＬＬの位相比較回路の動作を制御して、垂直等化パルス期間での水平ＰＬＬの乱れを少なくすることができる。
【０００３】
図３にそのブロック図を示す。図３の２０１は同期信号を含んだ複合映像信号、２０１は複合映像信号から同期信号部のみを抜き取る同期分離回路、２０２は前記同期分離回路の出力を基準信号とする水平位相比較回路、２０３は低域通過フィルタ、２０４は前記低域通過フィルタの出力によって発振周波数を可変する発振器、２０５は発振器から出力される信号を分周して前記位相比較回路に戻しかつ水平ＰＬＬのかかった水平同期信号として出力しかつ水平のタイミングで波形発生する分周器、２０６は前記同期分離回路の信号を入力として垂直同期信号を抜き取る垂直同期分離回路である。
【０００４】
２０７は前記垂直同期分離回路から出力される信号をリセットとし水平ＰＬＬの動作を制御するためのタイミングパルスなどを発生するためのタイミング回路、２０８は同期分離後の垂直・水平複合同期信号、２０９は垂直同期分離回路で分離された垂直同期基準信号、２１０は垂直同期信号をもとに１０８のタイミング回路で発生された垂直同期期間除去用基準パルス、２１１は前記２０５の分周器で得られたＰＬＬのかかった水平同期信号、２１２はタイミング回路で得られた垂直同期信号である。
【０００５】
また図４にその概念図を示す。（ａ）（ｂ）（ｃ）より垂直同期期間の等化パルスは水平同期信号のそれとは種類が異なるため、エッジや面積のいずれで位相比較してもＰＬＬの動作の中で位相誤差を発生し、その部分のＰＬＬの乱れが場合によっては有効画面に影響することより、垂直同期分離後信号（ｄ）をもとにマスクパルス（ｅ）を作り、（ｆ）のようにこの期間の位相比較の動作を止めるか比較回路のゲインを下げて、位相比較誤差を小さく抑えることをして（ｇ）のように画面上部の歪をなくそうとしている。
【０００６】
【発明が解決しようとする課題】
ところがこの期間より後に前記コピーガード信号が挿入されていると、この期間の水平ＰＬＬも乱され、有効画面までその影響が出て、画面上部に歪みをもたらすことになる。その概念図を図５に示す。（ａ）のようなコピーガード信号があると本来の同期信号期間以外にも擬似同期信号があるので（ｃ）のように出力信号の位相が乱れる。すると画面では映像と同期信号の位相がずれ、（ｄ）のようにコピーガード期間の位相乱れが有効走査期間まで影響を受け、画面上部の歪みを生ずる。
【０００７】
【課題を解決するための手段】
コピーガード信号かどうかを検出して、その期間に水平同期信号のみを抜き取り位相比較回路の影響を抑え、水平ＰＬＬの位相乱れを最小に抑え、有効映像信号部の画面上部の歪みを最小に抑える。
【０００８】
【発明の実施の形態】
本発明の第１の発明は、コピーガード信号を検出して水平ＰＬＬの位相比較をその期間も制御して安定な動作を確保する。
【０００９】
（実施例１）
以下に本発明の請求項１及び請求項２に記載された発明の実施の形態について図１と図２を用いて説明する。
【００１０】
図１において、１００は同期信号を含んだ複合映像信号、１０１は複合映像信号から同期信号部のみを抜き取る同期分離回路、１０２は前記同期分離回路の出力を基準信号とする水平位相比較回路、１０３は低域通過フィルタ、１０４は前記低域通過フィルタの出力によって発振周波数を可変する発振器、１０５は発振器から出力される信号を分周して前記位相比較回路に戻しかつ水平ＰＬＬのかかった水平同期信号として出力しかつ水平のタイミングで波形発生する分周器、１０６は前記同期分離回路の出力を用いてその信号の立下がりないし立上がりエッジを検出し計数する検出回路である。
【００１１】
１０７は前記同期分離回路の信号を入力として垂直同期信号を抜き取る垂直同期分離回路、１０８は前記垂直同期分離回路から出力される信号をリセットとし水平ＰＬＬの動作を制御するためのタイミングパルスや前記検出回路のリセットや検出期間を設定するためのタイミング回路、１０９は同期分離後の垂直・水平複合同期信号、１１０は垂直同期分離回路で分離された垂直同期基準信号、１１１は垂直同期信号をもとに１０８のタイミング回路で発生された垂直同期期間除去用基準パルス、１１２は同じく１０８のタイミング回路で発生された検出回路リセットパルス、１１３は同じく１０８のタイミング回路で発生されたコピーガード信号の検出時間を設定した検出期間設定パルス、１１４は１０５の分周器から出力される水平同期信号のみを抜き取るためのタイミングパルスである。
【００１２】
１１５は前記１１３と１１４の結果よりコピーガード信号の検出時間の間水平同期期間以外をマスクするためのパルスを作成するＡＮＤ回路、１１６は前記１０５の分周器で得られたＰＬＬのかかった水平同期信号、１１７はタイミング回路で得られた垂直同期信号である。図２にその概念図を示す。（ａ）は有効映像期間以外にコピーガード信号を含んだ映像信号である。（ｂ）はコピーガードの期間を設定するパルスでコピーガードの規格にそった形で設定される。（ｂ）のパルスの期間同期信号を計数し設定した幅に入る通常信号時のエッジの数より入力信号の検出結果が多い場合はコピーガードありと判断する。
【００１３】
（ｃ）は図１の１０５の分周器で発生した水平同期信号期間のみを抜き取るためのマスクパルスで有る。これを先ほどの（ｂ）の検出期間のみかけると、（ｄ）のコピーガード信号が（ｅ）のように同期信号部のみ抜き取られ、通常の同期信号のみが位相比較回路に入力されるので水平ＰＬＬの乱れによる歪がなくなり、（ｆ）のように画面上部の歪を抑えることができる。
【００１４】
【発明の効果】
本発明は垂直同期期間とコピーガード信号の期間、水平同期回路の位相比較回路の位相比較回路に入る信号を水平同期信号期間以外はマスクすることで、位相比較誤差を小さく抑えることが出来、画面の上部の歪を最小に抑えることが出きることを目的としたコピーガード対応水平同期回路でその効果は絶大である。
【図面の簡単な説明】
【図１】本発明の一実施の形態における水平同期回路のブロック構成図
【図２】（ａ）コピーガード信号を示す図
（ｂ）コピーガード検出期間測定パルスを示す図
（ｃ）検出期間時の水平同期信号用マスクパルスを示す図
（ｄ）水平レートでのコピーガード信号を示す図
（ｅ）マスク後の同期信号を示す図
（ｆ）映像のイメージ図
【図３】従来例における水平同期回路のブロック構成図
【図４】（ａ）同期信号を示す図
（ｂ）水平同期部分を示す図
（ｃ）垂直同期部分を示す図
（ｄ）同期信号と分離後の垂直同期信号を示す図
（ｅ）マスクパルスを示す図
（ｆ）垂直期間の位相保持のイメージを示す図
（ｇ）映像のイメージ図
【図５】（ａ）コピーガード信号を示す図
（ｂ）コピーガードのない信号を示す図
（ｃ）（ａ）と（ｂ）とでおのおのＰＬＬを掛けた時の位相誤差を示す図
（ｄ）映像のイメージ図
【符号の説明】
１００、２００・・同期信号を含んだ複合映像信号
１０１、２０１・・同期分離回路
１０２、２０２・・水平位相比較回路
１０３、２０３・・低域通過フィルタ
１０４、２０４・・発振器
１０５、２０５・・分周器
１０６・・検出回路
１０７、２０６・・垂直同期分離回路
１０８、２０７・・タイミング回路
１０９、２０８・・同期分離後の垂直・水平複合同期信号
１１０、２０９・・分離後の垂直同期基準信号
１１１、２１０・・垂直同期期間除去用基準パルス
１１２・・検出回路リセットパルス
１１３・・コピーガード信号検出期間設定パルス
１１４・・タイミングパルス
１１５・・ＡＮＤ回路
１１６、２１１・・水平同期信号
１１７、２１２・・垂直同期信号
【図１】
0004415429.tif 000002
【図２】
0004415429.tif 000003
【図３】
0004415429.tif 000004
【図４】
0004415429.tif 000005
【図５】
0004415429.tif 000006